(57)【要約】【課題】接続作業時間の短縮化が図れるとともに、光ファイバ成端箱における光ファイバに異常が生じた場合に、容易に補修できるようにする。【解決手段】複数の光ファイバの長手方向中央部が樹脂封止されるとともに、各一端に他の光ファイバＢが融着接続又はコネクタ接続される一方、各他端に光ファイバコネクタ７がそれぞれ設けられる接続用光ファイバ５と、各一端に前記光ファイバコネクタ７がそれぞれ装着されるとともに、各他端に他の光ファイバコネクタＦがそれぞれ装着される構成を備えるアダプタ４と、筐体２とを有する光ファイバ成端箱１に対して、接続用光ファイバ５の複数の光ファイバの内の異常が生じた光ファイバに代えて、別の光ファイバ３０を用いて他の光ファイバＢ１と他の光ファイバコネクタＦとを接続するようにしている。【選択図】  図７
2004294652.tif 000002
【特許請求の範囲】
【請求項１】
複数の光ファイバの長手方向の中央部分が、樹脂封止されて一体化された接続用光ファイバと、前記接続用光ファイバが収納されるとともに、複数のアダプタが設けられた筐体とを備え、
前記接続用光ファイバを構成する前記複数の光ファイバの各一端側が、他の光ファイバに融着接続又はコネクタ接続される一方、各他端側に光ファイバコネクタがそれぞれ設けられ、前記複数のアダプタの各一端側に、前記光ファイバコネクタがそれぞれ装着されるとともに、各他端側に他の光ファイバコネクタがそれぞれ装着される光ファイバ成端箱に対して、
前記接続用光ファイバを構成する前記複数の光ファイバのうちのいずれかの光ファイバに異常が生じたときには、異常が生じた光ファイバに代えて、別の光ファイバを用いて前記他の光ファイバと前記他の光ファイバコネクタとを接続することを特徴とする光ファイバ成端箱における光ファイバ補修方法。
【請求項２】
前記接続用光ファイバを構成する前記複数の光ファイバは、その長手方向中央部が平面に沿って配置されるとともに、シート形状に樹脂封止されている請求項１記載の光ファイバ成端箱における光ファイバ補修方法。
【請求項３】
前記光ファイバ成端箱は、光ファイバ収納用薄板材を有し、前記光ファイバ収納用薄板材は、前記接続用光ファイバを構成する前記複数の光ファイバの各一端側と前記他の光ファイバとの間の光接続部、この光接続部近傍の光ファイバ余長部および前記別の光ファイバの余長部を収納するものであり、
前記光ファイバ収納用薄板材と前記樹脂封止された部分とは、互いに積層された状態で前記筐体に収納されている請求項１または２記載の光ファイバ成端箱における光ファイバ補修方法。
【発明の詳細な説明】
【０００１】
【発明の属する技術分野】
本発明は、光ファイバ成端箱における光ファイバの補修方法に関する。
【０００２】
【従来の技術】
従来から、光ファイバケーブルを光ファイバコードまたは光ファイバケーブルに分岐接続するためＯＬＥ＿ＬＩＮＫ１に、光ファイバ成端箱ＯＬＥ＿ＬＩＮＫ１が用いられる。光ファイバ成端箱においては、箱の一端から引き込まれた光ファイバケーブルは、光ファイバごとに分岐されたのち、箱の他端から引き込まれた分岐用光ファイバコードまたは分岐用光ファイバケーブルに光コネクタ接続や融着接続などの手法によって光接続される。
【０００３】
光ファイバ成端箱においては、光ファイバケーブルと分岐用光ファイバコードまたは分岐用光ファイバケーブルとは直接光接続されるのではなく次のようにして光接続されることが多い。すなわち、光ファイバケーブルと分岐用光ファイバコードまたは分岐用光ファイバケーブルとの間に接続用光ファイバ部を設け、この接続用光ファイバ部の一端に光ファイバケーブルを、他端に分岐用光ファイバコードまたは分岐用光ファイバケーブルをそれぞれ光接続することで、両者の光接続が実施される。光ファイバ成端箱は、接続用光ファイバ部が収納される構造となっている。（特許文献１参照）
【０００４】
【特許文献１】
実開平７−１６９０２号公報
【０００５】
【発明が解決しようとする課題】
しかしながら、このようにして光ファイバケーブルと分岐用光ファイバとを光接続する光ファイバ成端箱においては、光接続作業時に接続用光ファイバ部の取り扱いに手間がかかるうえに、光ファイバ成端箱内における接続用光ファイバ部の収納作業に手間がかかるうえに収納スペースも必要となる。このことが接続作業時間の短縮化を妨げる要因や、高密度収納を妨げる要因となっていた。
【０００６】
したがって、本発明の課題は、接続作業時間の短縮化及び高密度収納を図ることができるとともに、光ファイバ成端箱における光ファイバに異常が生じた場合に、容易に補修できるようにすることである。
【０００７】
【課題を解決するための手段】
上述した課題を解決するために、本発明は、次の構成を備えている。
【０００８】
すなわち、本発明は、複数の光ファイバの長手方向の中央部分が、樹脂封止されて一体化された接続用光ファイバと、前記接続用光ファイバが収納されるとともに、複数のアダプタが設けられた筐体とを備え、前記接続用光ファイバを構成する前記複数の光ファイバの各一端側が、他の光ファイバに融着接続又はコネクタ接続される一方、各他端側に光ファイバコネクタがそれぞれ設けられ、前記複数のアダプタの各一端側に、前記光ファイバコネクタがそれぞれ装着されるとともに、各他端側に他の光ファイバコネクタがそれぞれ装着される光ファイバ成端箱に対して、前記接続用光ファイバを構成する前記複数の光ファイバのうちのいずれかの光ファイバに異常が生じたときには、異常が生じた光ファイバに代えて、別の光ファイバを用いて前記他の光ファイバと前記他の光ファイバコネクタとを接続するものである。
【０００９】
本発明によると、接続用光ファイバを構成する複数の光ファイバは、その中央部分が樹脂封止されているので、筐体内における接続用光ファイバの取り扱いが容易となるうえに、筐体内において接続用光ファイバを収納効率良く収納することができる。
【００１０】
この光ファイバ成端箱を用いた光ファイバケーブルの分岐接続作業は次のようになされる。すなわち、まず、他の光ファイバが、筐体内の接続用光ファイバの一端に光接続される。その際、接続用光ファイバの長手方向中央部が樹脂封止されているので、光接続作業が容易となる。一方、他の光ファイバコネクタは、アダプタの他端に装着される。これにより、他の光ファイバコネクタは、光ファイバコネクタに光接続される。この光接続作業もアダプタを介するために容易となる。
【００１１】
また、複数の光ファイバの長手方向の中央部分が樹脂封止されてなる接続光ファイバの前記複数の光ファイバのいずれかに異常、例えば、損失増加等の異常が生じた場合には、その異常が生じた光ファイバに代えて、別の光ファイバを用いて接続するので、複数の光ファイバの中央部分が樹脂封止されてなる接続用光ファイバの全体を交換する必要がなく、これによって、補修作業が容易になるとともに、補修に要するコストを低減することができる。
【００１２】
本発明の一実施態様においては、前記接続用光ファイバを構成する前記複数の光ファイバは、その長手方向中央部が平面に沿って配置されるとともに、シート形状に樹脂封止されている。
【００１３】
本発明によると、接続用光ファイバを構成する複数の光ファイバは、その長手方向の中央部分が、シート状に樹脂封止されているので、筐体内における接続用光ファイバの取り扱いがさらに容易となるうえに、筐体内において接続用光ファイバをさらに収納効率良く収納することができる。
【００１４】
本発明の他の実施態様においては、前記光ファイバ成端箱は、光ファイバ収納用薄板材を有し、前記光ファイバ収納用薄板材は、前記接続用光ファイバを構成する前記複数の光ファイバの各一端側と前記他の光ファイバとの間の光接続部、この光接続部近傍の光ファイバ余長部および前記別の光ファイバの余長部を収納するものであり、前記光ファイバ収納用薄板材と前記樹脂封止された部分とは、互いに積層された状態で前記筐体に収納されている。
【００１５】
本発明によると、接続用光ファイバを構成する複数の光ファイバの各一端側と前記他の光ファイバとの間の光接続部、この光接続部近傍の光ファイバ余長部および別の光ファイバの余長部とが、収納効率よく収納されることになり、その分、光ファイバ成端箱全体の収納効率がさらに向上する。
【００１６】
【発明の実施の形態】
図１は、本発明の光ファイバ補修方法が適用される光ファイバ成端箱が設けられる光ファイバ配線網の全体図である。この光ファイバ配線網は、情報配信元（情報センタ等）１００と情報配信先（各家庭等）１０１とを、幹線光ファイバ１０２，支線光ファイバ１０３，およびドロップ光ファイバ１０４等を介して光通信可能に接続している。なお、図１において、符号１０５は、幹線光ファイバ１０２を収納する地下収納路であり、１０６は幹線光ファイバ１０２を支持する電柱であり、１０７は各種の光ファイバケーブルを分岐するクロージャである。
【００１７】
このように構成された光ファイバの配線網において、本実施形態の補修方法が適用される光ファイバ成端箱１は、例えば、情報配信元１００である情報センタ内に設けられる。光ファイバ成端箱１は、幹線光ファイバ１０２等を構成する光ファイバケーブルＡを光ファイバに分岐したうえで、分岐した光ファイバを接続対象である他の光ファイバＢ（図１では、局内光ファイバ１０８）に光接続している。
【００１８】
以下の説明においては、８心（４心の光ファイバテープ心線２本）を有する光ファイバケーブルＡの３本を、光ファイバ成端箱１を用いて２４本の光ファイバに分岐接続する構成を例にして本発明を説明する。しかしながら、このような構成は、本発明の実施の形態の一例に過ぎず、本発明はどのような分岐形態においも実施できるのはいうまでもない。
【００１９】
光ファイバ成端箱１は、図２に示されるように、複数積層配置された状態で収納箱１０９に引き出し自在に収納されている。光ファイバ成端箱１は、図３に示されるように筐体２を有している。筐体２は一主面が開放された扁平な矩形形状を有している。筐体２の一側縁２ａには支持部３が設けられている。
【００２０】
支持部３は、光ファイバケーブルＡの周囲を把持する外周クランプ部３ａと、光ファイバケーブルＡが有するテンションメンバＤを挟持するテンションメンバクランプ部３ｂとを備えている。
【００２１】
筐体２の他側縁２ｂにはアダプタ４が設けられている。アダプタ４は、その両端に光ファイバコネクタを装着する装着部４ａ，４ｂを備えている。アダプタ４は、装着部４ａ，４ｂに光ファイバコネクタが装着されると、両光ファイバコネクタを光接続する構造を有している。アダプタ４は、１心の光接続に対応した構造を有している。したがって、アダプタ４は光接続数に応じた数を有している。本実施形態では、２４心の光接続数を本発明の構成例にしているため、２４個のアダプタ４が設けられている。アダプタ４は、その一端（装着部４ａ）を筐体内側に向け、その他端（装着部４ｂ）を筐体外側に向けて並列配置されて筐体２の他側縁２ｂに取り付けられている。
【００２２】
光ファイバ成端箱１は、接続用光ファイバ５を有している。接続用光ファイバ５は、図５に示されているように、光ファイバケーブルＡから取り出された第１光ファイバ（請求項における他の光ファイバに相当する）Ｂと、分岐接続先である第２光ファイバＣとの間を光接続する際に両光ファイバＢ，Ｃの間に介装される光ファイバである。
【００２３】
接続用光ファイバ５は、図３，図４に示されるように、光ファイバケーブルＡの分岐接続作業を容易にするために、十分なファイバ長（例えば、数ｍ）を有している。接続用光ファイバ５は、光接続数に合わせてその本数が設定されており、本実施形態では、２４本の光ファイバから構成されている。ただし、本実施形態では、接続用光ファイバ５を構成する光ファイバは、光ファイバの４本が束となった光ファイバテープ心線を主構造として有している。そのため、接続用光ファイバ５は、６本の光ファイバテープ心線を主構造体として備えている。
【００２４】
接続用光ファイバ５の長手方向中央部５ａは平面に沿って巻回配置されている。巻回封止された長手方向中央部５ａは薄板状をした封止樹脂部６に封入固定されて一体化されている。接続用光ファイバ５の両端部は、封止樹脂部６により固定保持されることなく封止樹脂部６から延出しており延出部５ｂ，５ｃを構成している。なお、図３，図４においては、封止樹脂部６の構造を明らかにするために封止樹脂部６の一部は切り欠いて描写されており、長手方向中央部５ａの一部は露出している。
【００２５】
接続用光ファイバ５の一端側延出部５ｂの端部には、第１光ファイバコネクタ８が取り付けられている。第１光ファイバコネクタ８は、４心の光ファイバ（テープ心線１本）を同時に光接続する構成を備えている。したがって、２４心の光接続を行う本実施形態の光ファイバ成端箱１では、第１光ファイバコネクタ８は６個設けられている。
【００２６】
接続用光ファイバ５の他端側延出部５ｃの端部には第２光ファイバコネクタ７が取り付けられている。第２光ファイバコネクタ７は、１心の光ファイバだけを光接続する構成を備えている。したがって、２４心の光接続を行う本実施形態の光ファイバ成端箱１では、第２光ファイバコネクタ７は２４個設けられている。
【００２７】
封止樹脂部６は、図示はしないが２枚の樹脂薄材を張り合わすことでシート状に構成されている。封止樹脂部６は、両樹脂薄材の間に接続用光ファイバ５の長手方向中央部５ａを挟み込んでおり、これにより長手方向中央部５ａを封入固定している。
【００２８】
封止樹脂部６は筐体２の内部に収納固定されている。具体的には、封止樹脂部６の四隅が筐体２の底面にねじ止め固定されている。
【００２９】
接続用光ファイバ５の他端側延出部５ｃに設けられた第２光ファイバコネクタ７は、封止樹脂部６から延出してアダプタ４の装着部４ａ（筐体内側）に筐体２の内側から装着されている。
【００３０】
光ファイバ成端箱１では、上記した基本構成に加えて、光ファイバ収納用薄板材９を備えている。なお、図３では、光ファイバ収納用薄板材９の一部を切り欠いて下側の封止樹脂部６を露出させた描写となっている。光ファイバ収納用薄板材９は、図５（光ファイバ成端箱１の使用状態を表す図）に示されるように、接続用光ファイバ５と光ファイバケーブルＡ（第１光ファイバＢ）との間の光接続部およびこの光接続部近傍の第１光ファイバＢの端部（光ファイバ余長部）を収納するファイバ収納部１０を備えている。
【００３１】
ファイバ収納部１０は、接続用光ファイバ５と第１光ファイバＢとの間の光接続部を含めて第１光ファイバＢを巻回する巻回爪１１を有している。巻回爪１１は光ファイバ収納用薄板材９の表面部位に設けられている。ファイバ収納部１０は光ファイバ収納用薄板材９の表面部位から構成されており、巻回爪１１に巻回された第１光ファイバＢを収納している。光ファイバ収納用薄板材９には、ケーブル挿通用の切欠９ａが設けられている。
【００３２】
光ファイバ収納用薄板材９は、筐体２に収納配置された封止樹脂部６の上にさらに積層配置されている。具体的には、光ファイバ収納用薄板材９は、図６に示されるように、封止樹脂部６の上方にスペーサ１２を介して積層配置されたうえで、筐体２にねじ止め固定されている。光ファイバ収納用薄板材９は、スペーサ１２を介在させることで封止樹脂部６との間に若干の隙間を形成しており、この状態で筐体２に固定されている。
【００３３】
以上説明したように、光ファイバ成端箱１では、接続用光ファイバ５の他端側延出部５ｃに設けられた第２光ファイバコネクタ７は、光ファイバ成端箱１の製造工場等においてアダプタ４に装着される。そして、第２光ファイバコネクタ７がアダプタ４に装着された状態で、光ファイバ成端箱１はその設置場所に搬送される。そのため、光ファイバ成端箱１の設置場所において、第２光ファイバコネクタ７をアダプタ４に装着する作業を行う必要がなくなり、その分、光ファイバ成端箱１の設置現場における作業（光接続作業等）が容易となる。
【００３４】
さらには、光ファイバ成端箱１は、設置現場に搬送する際に生じる振動等に起因する接続用光ファイバ５の損傷を受けにくい構造となっている。これは、光ファイバ成端箱１では、接続用光ファイバ５の長手方向中央部５ａが封止樹脂部６により封止固定されていることに因っている。
【００３５】
さらには、光ファイバ成端箱１では、接続用光ファイバ５の長手方向中央部５ａが封止樹脂部６に封止された状態で筐体２に収納されている。接続用光ファイバ５は、通常数ｍといった比較的長い長さを有しており、その収納に手間と場所を取る構成となっている。これに対して、光ファイバ成端箱１では、接続用光ファイバ５の長手方向中央部５ａを封止樹脂部６で封止しているために、接続用光ファイバ５の収納に手間と場所（筐体２内での収納スペース）とが取られない。
【００３６】
さらには、接続用光ファイバ５の一端側延出部５ｂと第１光ファイバＢとの間の光接続部およびこの光接続部近傍の第１光ファイバＢ（光ファイバ余長部）を収納する光ファイバ収納用薄板材９を、封止樹脂部６に積層して筐体２に収納している。そのため、接続用光ファイバ５の一端側延出部５ｂと第１光ファイバＢとの間の光接続部およびこの光接続部近傍の第１光ファイバＢ（光ファイバ余長部）の収納にも手間と場所（筐体２内での収納スペース）とが取られない。
【００３７】
以下、光ファイバ成端箱１の設置現場において光ファイバ成端箱１を介して実施される光ファイバケーブルＡと第２光ファイバＣとの光接続作業を図５を参照して説明する。まず、光ファイバ成端箱１で光接続する光ファイバケーブルＡ（３本）の接続端部において被覆（図示省略）とスロットロッド（光ファイバテープを収納している軸体であって図示は省略）とが取り除かれることで、光ファイバケーブルＡから第１光ファイバＢとテンションメンバＤとが取り出される。第１光ファイバＢは、４心の光ファイバが一体となった光ファイバテープ心線の構成を有している。第１光ファイバＢは１ｍ程度の長さとされる。テンションメンバＤは、外周クランプ部３ａに光ファイバケーブルＡの接続端部が取り付けられた状態でテンションメンバクランプ部３ｂに到達する長さとされる。露出された第１光ファイバＢの先端に光ファイバコネクタＥが光接続されて取り付られる。
【００３８】
この状態で光ファイバケーブルＡの接続端部が筐体２の外側から外周クランプ部３ａに差し込んでねじ止め固定される。さらに、光ファイバケーブルＡのテンションメンバＤがテンションメンバクランプ部３ｂに差し込まれてねじ止め固定される。
【００３９】
光ファイバケーブルＡの接続端部が筐体２に支持固定されたのち、外周クランプ部３ａから延出する第１光ファイバＢが光ファイバ収納用薄板材９の巻回爪１１に巻き着けられる。これにより、第１光ファイバＢがファイバ収納部１０に収納される。さらには、光ファイバ収納用薄板材９の下側に配置されている封止樹脂部６から延出する接続用光ファイバ５の一端側延出部５ｂ（第２光ファイバコネクタ８付き）が切欠９ａから光ファイバ収納用薄板材９上に取り込まれる。
【００４０】
そして、接続用光ファイバ５の一端側延出部５ｂに設けられた第１光ファイバコネクタ８（４心）と第１光ファイバＢの光ファイバコネクタＥ（４心）とが連結されて光接続される。これにより光ファイバケーブルＡを筐体２に支持固定する作業と光ファイバケーブルＡと接続用光ファイバ５とを光接続する作業が終了する。
【００４１】
接続用光ファイバ５の長手方向中央部５ａが封止樹脂部６により封止されて筐体２に固定されているために、上記した光接続作業は比較的簡単に行うことができる。
【００４２】
さらには、接続用光ファイバ５の他端側延出部５ｃに設けられた第２光ファイバコネクタ７は、光ファイバ成端箱１の製造時において既にアダプタ４に装着されている。そのため、光ファイバ成端箱１の設置現場において実施される光ファイバ成端箱１を介した光ファイバケーブルＡと第２光ファイバＣとの光接続作業では、第２光ファイバコネクタ７をアダプタ４に装着する作業を行う必要がなく、その分でもその作業が簡単となる。
【００４３】
以上のようにして光ファイバ成端箱１において光ファイバケーブルＡ（第１光ファイバＢ）と接続用光ファイバ５とが光接続されたのち、アダプタ４の装着部４ｂに第２光ファイバＣの光ファイバコネクタＦが装着される。これにより、第２光ファイバＣ（１心）と接続用光ファイバ５の各光ファイバ（１心）とが光接続される。したがって、光ファイバケーブルＡ（第１光ファイバＢ）は、光ファイバ成端箱１において接続用光ファイバ５を介して第２光ファイバＣに光接続される。本実施形態では３本の光ファイバケーブルＡ（６本の第１光ファイバＢ）が分岐されて２４本の第２光ファイバＣに光接続される。
【００４４】
この実施の形態の光ファイバの補修方法は、以上のようにシート状の封止樹脂部６を有する接続用光ファイバ５を介して第１，第２の光ファイバＢ，Ｃとを光接続する光ファイバ成端箱１において、接続用光ファイバ５の２４本の光ファイバのいずれかに損失増加等の異常が生じた場合に、その補修を行うものである。
【００４５】
すなわち、この実施の形態の光ファイバの補修方法では、長手方向の中央部分が、封止樹脂部６で樹脂封止された接続用光ファイバ５の２４本の光ファイバのいずれかの光ファイバ心線に異常が生じた場合には、接続用光ファイバ５の全体を交換するのではなく、異常が生じた光ファイバ心線に代えて、別の光ファイバ心線または光コードを用いて第１，第２の光ファイバＢ，Ｃの対応する心線間を光接続するものである。
【００４６】
この実施の形態では、上述のように、接続用光ファイバ５は、光ファイバの４本が束となった光ファイバテープ心線を主構造としており、このため、損失増加等の異常が生じた光ファイバ心線の１本のみを別の光ファイバ心線または光コードに代えるのではなく、異常が生じた光ファイバ心線を含む４本の心線を代えるようにしている。
【００４７】
図７は、この実施の形態の光ファイバ補修方法によって補修された状態を示す図５に対応する平面図である。
【００４８】
この図７においては、接続用光ファイバ５の２４本の光ファイバ心線の１本に損失増加等の異常が生じ、その１本を含む合計４本の光ファイバテープ心線を、別の４本の補修用光ファイバ３０１〜３０４を用いて補修した状態を示している。これら４本の補修用光ファイバ３０１〜３０４の各一端には、接続用光ファイバ５と同様に、光ファイバコネクタ７が取り付けられており、筐体２のアダプタ４の装着部４ａに装着されている。
【００４９】
一方、接続用光ファイバ５の異常が生じた光ファイバ心線を含む４本の光ファイバテープ心線に接続されるべき第１光ファイバＢの４心光ファイバテープ心線Ｂ１は、補修用光ファイバ３０に突き合わされて融着接続されて融着収容部３１に収容される。なお、３２は、融着接続部を保護する保護部材である。また、補修用光ファイバ３０は、途中で単心の光ファイバ３０１〜３０４に分岐されてそれぞれ第２光ファイバコネクタ７が取り付けられている。
【００５０】
このようにして、接続用光ファイバ５の複数の光ファイバ心線のいずれかに損失増加等の異常が生じた場合には、その異常が生じた心線を含む４本の光ファイバテープ心線を、別の補修用光ファイバ３０に代えて、第１光ファイバＢと第２光ファイバＣとの対応する光ファイバ心線同士を光接続するので、異常が生じていない光ファイバテープ心線については、接続用光ファイバ５をそのまま利用することができ、接続用光ファイバ５全体を交換する必要がない。したがって、接続用光ファイバ５を交換する場合に比べて、接続点数を少なくできることになり、補修作業が容易になるとともに、補修に要するコストを低減することができる。
【００５１】
さらに、この実施の形態では、補修用光ファイバ３０は、光ファイバ収納用薄板材９上において、その余長部分が巻回収納される。
【００５２】
本発明の他の実施の形態として、上述の補修用光ファイバ３０の端部に光ファイバコネクタ３３が設けられた補修用光ファイバコード３０を準備し、この補修用光ファイバコード３０を用いて図８に示されるように、第１光ファイバＢ１の先端に取付けられた光ファイバコネクタＥに接続するようにしてもよい。
【００５３】
上述の実施の形態では、異常が生じた光ファイバ心線を含む４本の光ファイバ心線を、別の光ファイバ心線に代えたけれども、本発明の他の実施の形態として、異常が生じた光ファイバ心線のみを別の光ファイバ心線に代えるようにしてもよい。
【００５４】
【発明の効果】
以上説明したように、本発明によれば、光接続作業時に接続用光ファイバの取り扱いが簡単になるうえに、光ファイバ成端箱内における接続用光ファイバの収納作業も簡単になり、その分、光接続作業時間の短縮化を促進することができ、さらに、接続用光ファイバを構成する複数の光ファイバのいずれかに、損失増加等の異常が生じた場合には、異常が生じた光ファイバを、別の光ファイバに代えて接続を行うので、複数の光ファイバの長手方向の中央部分が樹脂封止された接続用光ファイバ全体を取り替える必要がなく、補修作業が容易になるとともに、補修コストの低減を図ることができる。
【図面の簡単な説明】
【図１】本発明の光ファイバ成端箱を備え付ける光ファイバ配線網の構成を示す図である。
【図２】本発明の光ファイバ成端箱が装着される収納箱の構成を示す図である。
【図３】本発明の一実施形態の光ファイバ成端箱の構成を示す平面図である。
【図４】一実施形態の光ファイバ成端箱を構成する接続用光ファイバ部および封止樹脂部の構成を示す平面図である。
【図５】一実施形態の光ファイバ成端箱の使用状態を示す平面図である。
【図６】一実施形態の光ファイバ成端箱の要部拡大図である。
【図７】本発明に係る光ファイバ補修方法によって補修された状態を示す光ファイバ成端箱の平面図である。
【図８】本発明の他の実施の形態の図７に対応する平面図である。
【符号の説明】
１００情報配信元    １０１情報配信先    １０２幹線光ファイバ
１０３支線光ファイバ  １０４ドロップ光ファイバ
１０５地下収納路    １０６電柱    １０７クロージャ
１０８局内光ファイバ  １０９収納箱
１光ファイバ成端箱    ２筐体
２ａ一側縁      ２ｂ他側縁      ２ｃ筐体延出部
２ｄ側壁      ２ｅ光ファイバ収納部  ３支持部
３ａ外周クランプ部    ３ｂテンションメンバクランプ部
４アダプタ      ４ａ装着部（内側）    ４ｂ装着部（外側）
５接続用光ファイバ部  ５ａ長手方向中央部    ５ｂ一端側延出部
５ｃ他端側延出部    ６封止樹脂部
７第２光ファイバコネクタ        ８第１光ファイバコネクタ
９光ファイバ収納用薄板材        ９ａ切欠
１０ファイバ収納部    １１巻回爪    Ａ光ファイバケーブル
Ｂ第１光ファイバ    Ｃ第２光ファイバ  Ｅ光ファイバコネクタ
Ｆ光ファイバコネクタ
【図１】
2004294652.tif 000003
【図２】
2004294652.tif 000004
【図３】
2004294652.tif 000005
【図４】
2004294652.tif 000006
【図５】
2004294652.tif 000007
【図６】
2004294652.tif 000008
【図７】
2004294652.tif 000009
【図８】
2004294652.tif 000010